(57)【要約】【課題】簡易な構成でエッチング不良の発生率を低減できる技術を提供する。【解決手段】基板処理方法は、基板保持工程と、帯電工程と、エッチング液供給工程とを備える。基板保持工程においては、基板保持部により基板を保持する。帯電工程においては、基板を、当該基板の中央部を通る回転軸線まわりに回転させ、当該基板の第１主面の全面が正に帯電する第１混合濃度で、純水と添加ガスとを混合した第１混合液を、当該基板に供給して当該基板を帯電させる。エッチング液供給工程においては、帯電工程の後またはこれと並行し、当該基板を回転軸線まわりに回転させ、当該基板の第１主面にエッチング液を供給する。【選択図】図５
2020161522.tif 000002
【特許請求の範囲】
【請求項１】
基板保持部により基板を保持する基板保持工程と、
前記基板を、前記基板の中央部を通る回転軸線まわりに回転させ、前記基板の第１主面の全面が正に帯電する第１混合濃度で、純水と添加ガスとを混合した第１混合液を、前記基板に供給して前記基板を帯電させる帯電工程と、
前記帯電工程の後またはこれと並行し、前記基板を前記回転軸線まわりに回転させ、前記基板の前記第１主面にエッチング液を供給するエッチング液供給工程と
を備える、基板処理方法。
【請求項２】
請求項１に記載の基板処理方法であって、
前記第１混合濃度は、前記基板上の帯電分布に基づき決定された値である、基板処理方法。
【請求項３】
請求項１または請求項２に記載の基板処理方法であって、
前記帯電工程においては、前記基板の前記第１主面とは反対の第２主面に前記第１混合液を供給し、
前記基板処理方法は、
前記エッチング液供給工程の後、前記第１混合濃度よりも添加ガスの濃度が高い第２混合液を前記基板の前記第２主面に供給して、前記基板を除電する除電工程をさらに備える、基板処理方法。
【請求項４】
請求項１から請求項３のいずれか一つに記載の基板処理方法であって、
前記エッチング液供給工程の後、純水、または、前記第１混合濃度と異なる第３混合濃度で純水と添加ガスが混合されて得られる第３混合液を、前記基板の前記第１主面に供給するリンス液供給工程をさらに備える、基板処理方法。
【請求項５】
請求項４に記載の基板処理方法であって、
前記第３混合濃度における前記添加ガスの濃度は、前記第１混合濃度における前記添加ガスの濃度よりも大きい、基板処理方法。
【請求項６】
請求項１から請求項５のいずれか一つに記載の基板処理方法であって、
前記添加ガスが二酸化炭素である、基板処理方法。
【請求項７】
請求項１から請求項６のいずれか一つに記載の基板処理方法であって、
前記帯電工程において、第１回転速度で前記基板を回転させ、
前記エッチング液供給工程において、前記第１回転速度よりも低い第２回転速度で前記基板を回転させる、基板処理方法。
【請求項８】
請求項７に記載の基板処理方法であって、
前記エッチング液供給工程において、前記第２回転速度で前記基板を回転させた後に、前記第２回転速度よりも低い第３回転速度で前記基板を回転させる、基板処理方法。
【請求項９】
請求項１から請求項８のいずれか一つに記載の基板処理方法であって、
前記帯電工程を終了した後に前記エッチング液供給工程を実行する、基板処理方法。
【請求項１０】
請求項１から請求項８のいずれか一つに記載の基板処理方法であって、
前記帯電工程においては、前記基板の前記第１主面とは反対の第２主面に前記第１混合液を供給し、
前記帯電工程および前記エッチング液供給工程を並行して実行する、基板処理方法。
【請求項１１】
請求項１０に記載の基板処理方法であって、
前記エッチング液供給工程を開始する前に前記帯電工程を開始する、基板処理方法。
【請求項１２】
請求項１０に記載の基板処理方法であって、
前記エッチング液供給工程を開始した後に前記帯電工程を開始する、基板処理方法。
【請求項１３】
基板を保持し、前記基板の中央部を通る回転軸線まわりに前記基板を回転させる基板保持部と、
前記基板保持部に保持された前記基板の第１主面の全面が正に帯電する第１混合濃度で、純水と添加ガスとを混合した第１混合液を、前記基板に供給して前記基板を帯電させる混合液供給部と、
前記基板保持部に保持された前記基板の前記第１主面にエッチング液を供給するエッチング液供給部と
を備える、基板処理装置。
【発明の詳細な説明】
【技術分野】
【０００１】
本願は、基板処理方法および基板処理装置に関する。
【背景技術】
【０００２】
従来から、シリコン基板の表面に対して酸性またはアルカリ性のエッチング液を供給して、当該表面に対してエッチングを行う基板処理装置が提案されている。この基板の表面には、例えば、エッチング対象（シリコン等の半導体層またはシリコン酸化物等の絶縁層など）と、レジストパターンとが形成され、エッチング装置は、エッチング対象に対してエッチングを行う。
【０００３】
この基板の表面に酸性またはアルカリ性のエッチング液が供給されると、電気二重層により基板の表面は負に荷電される。よって、パターン側壁も負に荷電される。このパターン側壁の電荷は、パターン側壁近傍において、エッチング液中のマイナスイオンと反発する。パターン間の隙間が狭いほど、パターン側壁の電荷が当該隙間全体に影響するので、エッチング液が当該隙間に入り込みにくくなる。これにより、エッチング不良が発生するという問題がある。
【０００４】
そこで、基板に電圧を印加して基板の表面を逆極性に帯電させることにより、エッチング不良を抑制する技術が提案されている。このようなエッチング装置として、例えば特許文献１に記載された基板処理装置の構成を採用することができる。この基板処理装置は、基板保持手段、エッチング液供給手段、および複数の電極を制御する制御装置を含む。制御装置は、回転軸線まわりに基板を回転させながら、基板にエッチング液を供給するエッチング工程と、第１電極および第２電極の順番で印加電圧の絶対値が増加するように、複数の電極に電圧を印加することにより、エッチング工程と並行して基板を帯電させるエッチング帯電工程とを実行する。
【先行技術文献】
【特許文献】
【０００５】
【特許文献１】特開２０１６−１８４７０１号公報
【発明の概要】
【発明が解決しようとする課題】
【０００６】
しかしながら、特許文献１に記載の基板処理装置では、基板に電圧を印加するための種々の機構（例えば第１電極および第２電極）が必要となり、基板処理装置が複雑化する。
【０００７】
そこで、本願は、簡易な構成でエッチング不良の発生率を低減できる技術を提供することを目的とする。
【課題を解決するための手段】
【０００８】
基板処理方法の第１の態様は、基板保持部により基板を保持する基板保持工程と、前記基板を、前記基板の中央部を通る回転軸線まわりに回転させ、前記基板の第１主面の全面が正に帯電する第１混合濃度で、純水と添加ガスとを混合した第１混合液を、前記基板に供給して前記基板を帯電させる帯電工程と、前記帯電工程の後またはこれと並行し、前記基板を前記回転軸線まわりに回転させ、前記基板の前記第１主面にエッチング液を供給するエッチング液供給工程とを備える。
【０００９】
基板処理方法の第２の態様は、第１の態様にかかる基板処理方法であって、前記第１混合濃度は、前記基板上の帯電分布に基づき決定された値である。
【００１０】
基板処理方法の第３の態様は、第１または第２の態様にかかる基板処理方法であって、前記帯電工程においては、前記基板の前記第１主面とは反対の第２主面に前記第１混合液を供給し、前記基板処理方法は、前記エッチング液供給工程の後、前記第１混合濃度よりも添加ガスの濃度が高い第２混合液を前記基板の前記第２主面に供給して、前記基板を除電する除電工程をさらに備える。
【００１１】
基板処理方法の第４の態様は、第１から第３のいずれか一つの態様にかかる基板処理方法であって、前記エッチング液供給工程の後、純水、または、前記第１混合濃度と異なる第３混合濃度で純水と添加ガスが混合されて得られる第３混合液を、前記基板の前記第１主面に供給するリンス液供給工程をさらに備える。
【００１２】
基板処理方法の第５の態様は、第４の態様にかかる基板処理方法であって、前記第３混合濃度における前記添加ガスの濃度は、前記第１混合濃度における前記添加ガスの濃度よりも大きい。
【００１３】
基板処理方法の第６の態様は、第１から第５のいずれか一つ態様にかかる基板処理方法であって、前記添加ガスが二酸化炭素である。
【００１４】
基板処理方法の第７の態様は、第１から第６のいずれか一つの態様にかかる基板処理方法であって、前記帯電工程において、第１回転速度で前記基板を回転させ、前記エッチング液供給工程において、前記第１回転速度よりも低い第２回転速度で前記基板を回転させる。
【００１５】
基板処理方法の第８の態様は、第７の態様にかかる基板処理方法であって、前記エッチング液供給工程において、前記第２回転速度で前記基板を回転させた後に、前記第２回転速度よりも低い第３回転速度で前記基板を回転させる。
【００１６】
基板処理方法の第９の態様は、第１から第８のいずれか一つの態様にかかる基板処理方法であって、前記帯電工程を終了した後に前記エッチング液供給工程を実行する。
【００１７】
基板処理方法の第１０の態様は、第１から第８のいずれか一つの態様にかかる基板処理方法であって、前記帯電工程においては、前記基板の前記第１主面とは反対の第２主面に前記第１混合液を供給し、前記帯電工程および前記エッチング液供給工程を並行して実行する。
【００１８】
基板処理方法の第１１の態様は、第１０の態様にかかる基板処理方法であって、前記エッチング液供給工程を開始する前に前記帯電工程を開始する。
【００１９】
基板処理方法の第１２の態様は、第１０の態様にかかる基板処理方法であって、前記エッチング液供給工程を開始した後に前記帯電工程を開始する。
【００２０】
基板処理装置の態様は、基板を保持し、前記基板の中央部を通る回転軸線まわりに前記基板を回転させる基板保持部と、前記基板保持部に保持された前記基板の第１主面の全面が正に帯電する第１混合濃度で、純水と添加ガスとを混合した第１混合液を、前記基板に供給して前記基板を帯電させる混合液供給部と、前記基板保持部に保持された前記基板の前記第１主面にエッチング液を供給するエッチング液供給部とを備える。
【発明の効果】
【００２１】
基板処理方法の第１の態様、第６の態様および基板処理装置の態様によれば、基板の第１主面が正に帯電するので、第１主面に形成されたパターン間の隙間（トレンチ）、あるいは、孔が小さくても、エッチング液は当該隙間または当該孔に入り込みやすい。よって、エッチング不良の発生率を低減できる。しかも、基板を帯電させる電極等は不要であるので、装置を簡易に構成できる。
【００２２】
基板処理方法の第２の態様によれば、第１混合濃度を適切に決定できる。
【００２３】
基板処理方法の第３の態様によれば、添加ガスの濃度が高いので、速やかに基板を除電できる。
【００２４】
基板処理方法の第４の態様によれば、リンス液供給工程により、エッチング液を洗い流すことができる。
【００２５】
基板処理方法の第５の態様によれば、リンス液供給工程で用いられる第３混合液における添加ガスの濃度が帯電工程で用いられる第１混合液よりも大きいので、リンス液供給工程において、基板への帯電を抑制しつつ、エッチング液を洗い流すことができる。逆にいえば、帯電工程における第１混合液の添加ガスの濃度は第３混合液よりも小さいので、帯電工程における基板の帯電量を大きくできる。
【００２６】
基板処理方法の第７の態様によれば、帯電工程における第１回転速度が高いので、第１混合液と基板の第１主面との摩擦によって生じる基板の帯電量を増大させる、あるいは、帯電速度を向上させることができる。
【００２７】
基板処理方法の第８の態様によれば、エッチング液供給工程の初期の第２回転速度がその後の第３回転速度よりも高いので、初期において、エッチング液を速やかに基板の第１主面の全面に広げることができる。また第３回転速度が低いので、エッチング液が基板の全面に広がった後にはエッチング液の流動性は低くなり、基板に対するエッチングが適切に行われる。
【００２８】
基板処理方法の第９の態様によれば、第１混合液の消費量を低減できる。
【００２９】
基板処理方法の第１０の態様によれば、エッチング液供給工程においても、第１混合液が吐出される。よって、基板の第２主面を帯電させ続けることができる。ひいては、基板の第１主面の帯電をより維持しやすい。
【００３０】
また、エッチング液は基板の第１主面の周縁から飛散し、第１混合液は基板の第２主面の周縁から飛散する。よって、エッチング液が、第１主面と第２主面とを連結する端面を介して、第２主面へと回り込むことが抑制される。
【００３１】
基板処理方法の第１１の態様によれば、基板を帯電させた状態でエッチング液の供給を開始できる。
【００３２】
基板処理方法の第１２の態様によれば、第１混合液の消費量を低減することができる。
【００３３】
本願明細書に開示される技術に関する目的と、特徴と、局面と、利点とは、以下に示される詳細な説明と添付図面とによって、さらに明白となる。
【図面の簡単な説明】
【００３４】
【図１】基板処理装置の構成の一例を概略的に示す図である。
【図２】基板の上面側の構成の一例を概略的に示す図である。
【図３】基板の帯電分布の一例を概略的に示す図である。
【図４】基板の構成の一例を概略的に示す断面図である。
【図５】基板処理装置の動作の一例を示すフローチャートである。
【図６】回転速度の変化の一例を概略的に示す図である。
【図７】帯電工程とエッチング液処理工程のタイミングの一例を示す図である。
【図８】帯電工程とエッチング液処理工程のタイミングの他の一例を示す図である。
【発明を実施するための形態】
【００３５】
以下、添付される図面を参照しながら実施の形態について説明する。なお、図面は概略的に示されるものであり、説明の便宜のため、適宜、構成の省略、または、構成の簡略化がなされるものである。また、図面に示される構成の大きさおよび位置な相互関係は、必ずしも正確に記載されるものではなく、適宜変更され得るものである。
【００３６】
また、以下に示される説明では、同様の構成要素には同じ符号を付して図示し、それらの名称と機能とについても同様のものとする。したがって、それらについての詳細な説明を、重複を避けるために省略する場合がある。
【００３７】
＜基板処理装置の概要＞
図１は、基板処理装置１００の構成の一例を概略的に示す図である。基板処理装置１００は、基板Ｗ１の表面にエッチング液を供給し、基板Ｗ１の表面に対してエッチングを行う。基板Ｗ１は例えば半導体基板であり、より具体的な一例としてシリコン半導体基板を採用することができる。基板Ｗ１は略円板形状を有している。
【００３８】
基板処理装置１００は、例えば、基板Ｗ１に対する洗浄工程として、基板Ｗ１の表面の金属膜または酸化膜をエッチングにより除去してもよい。この基板Ｗ１の表面には、パターンとしての深穴またはトレンチが形成されており、そのような深穴またはトレンチのサイズが１０［ｎｍ］未満（例えば２〜３［ｎｍ］）である場合には、電気二重層による基板Ｗ１の表面の帯電により、エッチング液が入り込みにくくなる。
【００３９】
あるいは、基板処理装置１００は、洗浄工程ではなく、パターン形成工程として、基板Ｗ１の表面に対してエッチングを行ってもよい。この基板Ｗ１の表面には、種々の層が形成されている。より具体的には、レジスト層、絶縁層（例えば酸化物層または窒化物層）、半導体層（例えば多結晶シリコン層または酸化物半導体層）、および、金属層の少なくともいずれか１つが形成されている。これらの層はパターンを形成する。
【００４０】
例えば基板Ｗ１の最上層にレジスト層としてのレジストパターンが形成され、その下層にエッチング対象が形成される。エッチング対象は、金属層、絶縁層および半導体層の少なくともいずれか１つである。基板処理装置１００は基板Ｗ１の表面にエッチング液を供給して、下層のエッチング対象に対してエッチングを行ってもよい。
【００４１】
本実施の形態では、基板Ｗ１の表面に形成されるレジストパターン間の隙間は例えば１０［ｎｍ］未満であり、例えば２〜３［ｎｍ］程度である。このような狭間隔のパターンの隙間にも、エッチング液が入り込みにくい。
【００４２】
あるいは、基板処理装置１００は、次に説明する基板Ｗ１に対してエッチングを行ってもよい。図２は、基板Ｗ１の上面のパターンの一例を概略的に示す図である。図２の例では、基板Ｗ１の表面には、３次元フラッシュメモリ（例えば３次元ＮＡＮＤメモリ）を製造するためのパターンが形成されている。基板Ｗ１の上面には、半導体層１Ａ（例えば多結晶シリコン層）と絶縁層１Ｂとが交互に積層された積層体が形成されている。基板処理装置１００は基板Ｗ１の表面にエッチング液を供給して、当該積層体の側面において、各絶縁層１Ｂを水平方向にエッチングしてもよい。この場合、エッチング対象は絶縁層１Ｂであり、半導体層１Ａに挟まれる領域がパターン間の隙間に相当する。エッチング液はパターン間の隙間に入り込んで絶縁層１Ｂに対してエッチングを行う。
【００４３】
図２の例では、エッチング液は積層体の相互間に入り込みつつ、半導体層１Ａ間に入り込む必要がある。積層体どうしの間隔ｐ１が狭くても、あるいは、半導体層１Ａ間の間隔ｐ２（つまり絶縁層１Ｂの厚み）が狭くても、エッチング液はこれらの隙間に入り込みにくい。
【００４４】
本実施の形態では、エッチング液が狭いパターンの隙間（もしくは、孔またはトレンチ）に入り込むことができる基板処理装置１００を提案している。
【００４５】
＜基板保持装置の構成＞
図１を参照して、基板処理装置１００は、基板保持部２と、混合液供給部３と、エッチング液供給部４と、制御部５とを含んでいる。
【００４６】
基板保持部２は基板Ｗ１を略水平に保持する。具体的には、基板保持部２は、基板Ｗ１の厚み方向が鉛直方向に沿う姿勢で、基板Ｗ１を保持する。ここでは、基板Ｗ１の上面（第１主面）がエッチング対象面である。また、基板保持部２は、基板Ｗ１の中央部を通る鉛直な回転軸線Ａ１まわりに基板Ｗ１を回転させる。図１の例では、基板保持部２は、スピンチャック２１と、回転機構２２とを含む。
【００４７】
スピンチャック２１は、基板Ｗ１を保持する部材であり、スピンベース２１１と、複数のチャックピン２１２と、チャック開閉機構２１３とを含む。スピンベース２１１は略円板形状を有しており、その上面は基板Ｗ１の下面と間隔を空けて対向する。複数のチャックピン２１２はスピンベース２１１の上面に突設されている。複数のチャックピン２１２は、基板Ｗ１の周縁に沿って略等間隔となる位置に設けられ、基板Ｗ１の周縁を保持する。チャック開閉機構２１３はチャックピン２１２を開閉させることができる。具体的には、チャック開閉機構２１３は、チャックピン２１２が基板Ｗ１の周縁を保持する閉状態と、チャックピン２１２が基板Ｗ１の周縁から離れる開状態とを切り替えることができる。チャック開閉機構２１３は制御部５によって制御される。
【００４８】
回転機構２２は、スピンチャック２１を回転軸線Ａ１まわりに回転させる機構であり、スピンシャフト２２１と、スピンモータ２２２とを含んでいる。スピンシャフト２２１はスピンベース２１１の中央部から鉛直下方に沿って延在している。スピンモータ２２２はスピンシャフト２２１を回転軸線Ａ１まわりに回転させることにより、回転力をスピンチャック２１に伝達させ、スピンチャック２１を回転軸線Ａ１まわりに回転させる。これにより、スピンチャック２１に保持された基板Ｗ１も回転軸線Ａ１まわりに回転する。スピンモータ２２２は制御部５によって制御される。
【００４９】
例えばスピンチャック２１の少なくとも一部は絶縁体（例えばセラミック）によって形成されており、基板Ｗ１はスピンチャック２１を介して絶縁されている。
【００５０】
混合液供給部３は、基板保持部２によって保持された基板Ｗ１に第１混合液を供給して、基板Ｗ１を帯電させる。第１混合液は、純水（DIW：DeIonized Water）および二酸化炭素を第１混合濃度で混合して得られる混合液である。図１の例では、混合液供給部３は第１混合液を基板Ｗ１の下面（第２主面）に供給する。具体的には、混合液供給部３は、ノズル３１と、混合液供給管３２と、混合部３３と、純水供給管３４と、純水供給源３５と、二酸化炭素供給管３６と、二酸化炭素供給源３７と、供給バルブ３８と、供給バルブ３９とを含んでいる。
【００５１】
ノズル３１は基板Ｗ１よりも下方に設けられている。より具体的には、ノズル３１は、その吐出口が基板Ｗ１の下面の中央部に対して間隔を空けて対向する位置に設けられている。ノズル３１は混合液供給管３２を介して混合部３３に接続されている。図１の例では、スピンシャフト２２１は中空シャフトであり、混合液供給管３２はこのスピンシャフト２２１を貫通する。混合部３３は純水供給管３４を介して純水供給源３５に接続されるとともに、二酸化炭素供給管３６を介して二酸化炭素供給源３７に接続される。純水供給源３５は純水供給管３４を介して混合部３３に純水を供給し、二酸化炭素供給源３７は二酸化炭素供給管３６を介して混合部３３に二酸化炭素を供給する。混合部は純水および二酸化炭素を第１混合濃度で混合して第１混合液を生成し、その第１混合液を、混合液供給管３２を介してノズル３１に供給する。ノズル３１はその吐出口から第１混合液を基板Ｗ１の下面の中央部に吐出する。
【００５２】
純水供給管３４の途中には、供給バルブ３８が設けられている。供給バルブ３８は純水供給管３４内の流路の開閉を切り替える。供給バルブ３８は、純水供給管３４内の流路を流れる純水の流量を調整可能なバルブであってもよい。供給バルブ３８は制御部５によって制御される。
【００５３】
二酸化炭素供給管３６の途中には、供給バルブ３９が設けられている。供給バルブ３９は二酸化炭素供給管３６内の流路の開閉を切り替える。供給バルブ３９は、二酸化炭素供給管３６内の流路を流れる二酸化炭素の流量を調整可能なバルブであってもよい。供給バルブ３９は制御部５によって制御される。
【００５４】
供給バルブ３８および供給バルブ３９がそれぞれ純水の流量および二酸化炭素の流量を適切に調整することで、混合部３３は所定の第１混合濃度で純水と二酸化炭素とを混合することができる。
【００５５】
この第１混合液が基板Ｗ１の回転中に基板Ｗ１の下面に供給されると、基板Ｗ１の下面の中央部に着液した第１混合液は遠心力により基板Ｗ１の下面の全面に広がって、基板Ｗ１の周縁から外部に飛散する。このとき、第１混合液と基板Ｗ１との摩擦によって、基板Ｗ１の下面が帯電する。
【００５６】
図３は、基板Ｗ１の上面の帯電分布の一例を示す図である。図３は、基板Ｗ１の表面上の複数の測定位置における帯電量（実験値）を示している。測定位置の一つは基板Ｗ１の中心であり、他の測定位置は、基板Ｗ１の直径に沿って略等間隔で並ぶ位置である。
【００５７】
図４は、実験で用いた基板Ｗ１の構成の一例を概略的に示す図である。基板Ｗ１は、シリコン層１ａと、シリコン層１ａの上面に形成されたシリコン酸化膜１ｂと、シリコン層１ａの下面に形成されたシリコン酸化膜１ｃとを含んでいる。
【００５８】
図３は、図４に示す基板Ｗ１の下面に対して純水を供給したときの帯電分布を、実線のグラフで表している。また図３は、図４に示す基板Ｗ１の下面に対して、次に説明する第２混合液を供給したときの電位分布を破線のグラフで表している。第２混合液は、第１混合濃度よりも二酸化炭素の濃度が高い第２混合濃度で、純水および二酸化炭素を混合して得られる混合液である。また図３では、参考のために、処理液を基板Ｗ１の下面に供給していないときの電位分布を一点鎖線のグラフで示している。処理液を供給していない場合には、基板Ｗ１の上面の帯電量は略零である。
【００５９】
図３の実線のグラフで示すように、純水を基板Ｗ１の下面に供給したときには、基板Ｗ１の下面と純水との摩擦により、基板Ｗ１の下面が正に帯電する。基板Ｗ１の下面が正に帯電すると、基板Ｗ１の内部の誘導分極により、基板Ｗ１の上面側には正の電荷が集まることになる。よって、基板Ｗ１の上面の帯電量の極性は正となる（図４も参照）。言い換えれば、基板Ｗ１の上面は正に帯電する。
【００６０】
純水の比抵抗値は例えば１０［ＭΩ・ｃｍ］以上と大きいので、基板Ｗ１の下面の帯電量は大きく、その結果、基板Ｗ１の上面側の帯電量も大きくなる。しかしながら、基板Ｗ１の上面側の帯電量が大きくなり過ぎると、基板Ｗ１の上面にパターンが形成されている場合には、そのパターンに悪影響を及ぼす可能性がある。また、図３から分かるように、純水を用いた場合の基板Ｗ１の上面側の帯電分布のばらつきは大きくなる。
【００６１】
これに対して、第２混合液を供給したときには、基板Ｗ１の上面はわずかにしか帯電しない（図３参照）。具体的には、基板Ｗ１の上面の中央部はわずかに負に帯電し、中央部よりも周縁の周縁部はわずかに正に帯電する。基板Ｗ１があまり帯電しないのは、次の理由による。即ち、第２混合液における二酸化炭素の濃度は純水に比べて非常に高いので、第２混合液の比抵抗値は純水に比べて非常に小さく、基板Ｗ１の下面が帯電しにくいからである。よって、基板Ｗ１の上面側の帯電量は小さい。一方で、図３から分かるように、比抵抗値の小さい第２混合液を用いれば、基板Ｗ１の帯電分布のばらつきは小さくなる。
【００６２】
以上のように、純水を用いると帯電量が高くなりすぎる場合があり、また、帯電分布のばらつきも大きくなる。一方で、第２混合液を用いると、基板Ｗ１をほとんど帯電できないものの、その帯電分布のばらつきは小さい。
【００６３】
そこで、混合液供給部３は基板Ｗ１の下面に第１混合液を供給する。この第１混合液の第１混合濃度は、第２混合液の第２混合濃度よりも二酸化炭素の濃度が小さくなるように設定される。つまり、第１混合液の比抵抗値は純水よりも小さく、第２混合濃度よりも大きい。これにより、適切な範囲の帯電量、かつ、より小さいばらつきで、基板Ｗ１の上面の全面を帯電させることができる。
【００６４】
第１混合液の第１混合濃度は、図３に示す基板Ｗ１上の帯電分布に基づいて予め決定することができる。第１混合濃度を変更して実験を行い、より多くの第１混合濃度に対する帯電分布を取得するとよい。これにより、より好ましい第１混合濃度を決定することが可能である。
【００６５】
図１を参照して、エッチング液供給部４は、基板保持部２によって保持された基板Ｗ１の上面にエッチング液を供給する。エッチング液としては、基板Ｗ１の上面のエッチング対象に応じたエッチング液が採用される。エッチング液としては、酸性のエッチング液を採用することもでき、アルカリ性のエッチング液を採用することもできる。具体的な例として、フッ酸（ＨＦ）、バッファードフッ酸（ＢＨＦ）、フッ化アンモニウム（ＮＨ４Ｆ）、水酸化アンモニウム（ＮＨ４ＯＨ）、水酸化テトラメチルアンモニウム（ＴＭＡＨ）、リン酸（Ｈ３ＰＯ４）、過酸化水素水（Ｈ２Ｏ２）、または、これらの少なくとも２つの混合液を採用することできる。
【００６６】
エッチング液供給部４は、ノズル４１と、エッチング液供給管４２と、供給バルブ４３と、エッチング液供給源４４とを含んでいる。ノズル４１は、基板Ｗ１よりも上方に設けられている。具体的には、ノズル４１は、その吐出口が基板Ｗ１の上面の中央部と間隔を空けて対向する位置に設けられている。ノズル４１はエッチング液供給管４２を介してエッチング液供給源４４に接続される。エッチング液供給源４４からのエッチング液はエッチング液供給管４２を介してノズル４１に供給される。ノズル４１はその吐出口から基板Ｗ１の上面にエッチング液を吐出する。
【００６７】
供給バルブ４３はエッチング液供給管４２の途中に設けられており、エッチング液供給管４２内の流路の開閉を切り替える。供給バルブ４３は、エッチング液供給管４２内の流路を流れるエッチング液の流量を調整可能なバルブであってもよい。供給バルブ４３は制御部５によって制御される。
【００６８】
エッチング液が基板Ｗ１の回転中に基板Ｗ１の上面に吐出されることにより、その中央部に着液したエッチング液は遠心力を受けて基板Ｗ１の上面の全面に広がり、基板Ｗ１の周縁から飛散する。エッチング液は基板Ｗ１の上面の全面に作用して、基板Ｗ１の上面のエッチング対象をエッチングする。
【００６９】
図１の例では、遮断板７が設けられている。遮断板７は基板保持部２よりも上方に設けられており、基板Ｗ１の上面と間隔を空けて対向する。遮断板７の下面は、基板Ｗ１の直径よりも長い直径を有する略円形状を有しており、基板Ｗ１の上面の全域と対向する。遮断板７は昇降機構７１に連結されている。昇降機構７１は例えばボールねじ機構を有しており、遮断板７を、基板Ｗ１に近い処理位置と、基板Ｗ１から遠い待機位置との間で昇降させる。基板処理装置１００には、遮断板７を回転軸線Ａ１まわりで回転させる回転機構が設けられてもよい。昇降機構７１および当該回転機構は制御部５によって制御される。
【００７０】
図１の例では、遮断板７の中央部には、鉛直方向に沿って遮断板７を貫通する貫通孔が形成されており、ノズル４１はこの貫通孔内のうち基板Ｗ１側に設けられている。遮断板７が昇降することにより、ノズル４１も遮断板７と一体に昇降する。
【００７１】
図１の例では、基板処理装置１００には、リンス液供給部６が設けられている。リンス液供給部６は、基板保持部２によって保持された基板Ｗ１の表面にリンス液を供給し、基板Ｗ１の上面のエッチング液を洗い流す。
【００７２】
ここでは、リンス液供給部６は第１リンス液および第２リンス液を供給する。第１リンス液は、例えば、純水、または、純水と二酸化炭素との第３混合液である。第１リンス液が第３混合液である場合、第１リンス液における二酸化炭素の濃度は、混合液供給部３が供給する第１混合液における二酸化炭素の濃度よりも大きい。つまり、混合液供給部３は基板Ｗ１を帯電させるために第１混合液を供給するのに対して、リンス液供給部６は基板Ｗ１のエッチング液を洗い流すために第１リンス液を供給するので、第１リンス液における二酸化炭素の濃度を、第１混合液よりも大きく設定するのである。これにより、基板Ｗ１の帯電を抑制しつつ、エッチング液を洗い流すことができる。
【００７３】
第２リンス液は、第１リンス液よりも揮発性の高いリンス液であって、例えばＩＰＡ（イソプロピルアルコール）である。第１リンス液の供給後に第２リンス液を供給することにより、基板Ｗ１を乾燥させやすくすることができる。
【００７４】
図１の例では、リンス液供給部６は、ノズル６１と、共通管６２と、第１リンス液供給管６３と、第２リンス液供給管６４と、供給バルブ６５と、供給バルブ６６と、第１リンス液供給源６７と、第２リンス液供給源６８とを含んでいる。ノズル６１は基板Ｗ１よりも上方に設けられている。具体的には、ノズル６１は、その吐出口が基板Ｗ１の上面の中央部と間隔を空けて対向する位置に設けられている。図１の例では、ノズル６１も、遮断板７の貫通孔内のうち基板Ｗ１側に設けられている。遮断板７が昇降することにより、ノズル６１も一体で昇降する。
【００７５】
ノズル６１は共通管６２の一端に接続されている。共通管６２の他端は第１リンス液供給管６３を介して第１リンス液供給源６７に接続されるとともに、第２リンス液供給管６４を介して第２リンス液供給源６８に接続されている。第１リンス液供給源６７からの第１リンス液は第１リンス液供給管６３および共通管６２を介してノズル６１に供給される。ノズル６１はその吐出口から第１リンス液を基板Ｗ１の上面に吐出する。第２リンス液供給源６８からの第２リンス液は第２リンス液供給管６４および共通管６２を介してノズル６１に供給される。ノズル６１はその吐出口から第２リンス液を基板Ｗ１の上面に吐出する。
【００７６】
供給バルブ６５は第１リンス液供給管６３の途中に設けられており、第１リンス液供給管６３内の流路の開閉を切り替える。供給バルブ６５は第１リンス液供給管６３内の流路を流れる第１リンス液の流量を調整可能なバルブであってもよい。供給バルブ６５は制御部５によって制御される。
【００７７】
供給バルブ６６は第２リンス液供給管６４の途中に設けられており、第２リンス液供給管６４内の流路の開閉を切り替える。供給バルブ６６は第２リンス液供給管６４内の流路を流れる第２リンス液の流量を調整可能なバルブであってもよい。供給バルブ６６は制御部５によって制御される。
【００７８】
なお図１の例では、ノズル６１は第１リンス液および第２リンス液によって兼用されているものの、必ずしもこれに限らない。第１リンス液用のノズルおよび第２リンス液用のノズルが個別に設けられても構わない。
【００７９】
図１の例では、基板処理装置１００には、ガス供給部８が設けられている。ガス供給部８は不活性ガスを基板保持部２と遮断板７との間の空間に供給する。不活性ガスとしては、例えば窒素またはアルゴンを採用できる。ガス供給部８は、ノズル８１と、ガス供給管８２と、供給バルブ８３と、ガス供給源８４とを含んでいる。ノズル８１は基板Ｗ１よりも上方に設けられている。具体的には、ノズル８１は、その吐出口が基板Ｗ１の上面の中央部と間隔を空けて対向する位置に設けられている。ノズル８１は、遮断板７に設けられた貫通孔である。ノズル８１はガス供給管８２を介してガス供給源８４に接続されている。ガス供給源８４からの不活性ガスはガス供給管８２を介してノズル８１に供給される。ノズル８１はその吐出口から不活性ガスを吐出する。
【００８０】
供給バルブ８３はガス供給管８２の途中に設けられており、ガス供給管８２内の流路の開閉を切り替える。供給バルブ８３はガス供給管８２内の流路を流れるガスの流量を調整可能なバルブであってもよい。供給バルブ８３は制御部５によって制御される。
【００８１】
制御部５は、基板処理装置１００の全体を統括的に制御する。制御部５のハードウェアとしての構成は一般的なコンピュータと同様である。すなわち、制御部５は、各種演算処理を行うＣＰＵ（Central Processing Unit）、基本プログラムを記憶する読み出し専用のメモリであるＲＯＭ（Read Only Memory）、各種情報を記憶する読み書き自在のメモリであるＲＡＭ（Random Access Memory）および制御用ソフトウェアやデータなどを記憶しておく磁気ディスクを備えて構成される。制御部５のＣＰＵが所定の処理プログラムを実行することによって基板処理装置１００の動作が進行する。なお、制御部５の機能の一部または全部は専用のハードウェア回路によって実現されてもよい。
【００８２】
＜基板処理装置１００の動作＞
図５は、基板処理装置１００の動作の一例を示すフローチャートである。初期的には遮断板７は待機位置に位置している。まず、基板Ｗ１を基板保持部２に保持させる（ステップＳ１：基板保持工程）。具体的には、不図示の基板搬送ロボットが基板Ｗ１を基板保持部２に渡し、基板保持部２が基板Ｗ１を保持する。次に、制御部５は昇降機構７１を制御して、遮断板７を処理位置に移動させる（ステップＳ２）。次に、制御部５は回転機構２２を制御して、基板Ｗ１の回転を開始させる（ステップＳ３）。具体的には、制御部５はスピンモータ２２２を回転させ始める。これにより、スピンチャック２１に保持された基板Ｗ１が回転し始める。
【００８３】
次に、制御部５は混合液供給部３を制御して、第１混合液を基板Ｗ１の下面に供給させる（ステップＳ４：帯電工程）。具体的には、制御部５は供給バルブ３８および供給バルブ３９を開く。これにより、混合液供給部３のノズル３１から基板Ｗ１の下面の中央部に向かって第１混合液が吐出される。第１混合液の第１混合濃度（純水：二酸化炭素）は、基板Ｗ１の上面の全面が正に帯電するように設定される。例えば、第１混合濃度は１［ｐｐｍ］以下に設定される。帯電工程における基板Ｗ１の回転速度は例えば１０〜１０００[ｒｐｍ]程度に設定される。
【００８４】
基板Ｗ１の下面の中央部に着液した第１混合液は、基板Ｗ１の下面の全面に広がって基板Ｗ１の周縁から外側に飛散する。このとき、第１混合液と基板Ｗ１と間の摩擦により、基板Ｗ１の下面が帯電する。そして、この基板Ｗ１の下面の帯電により基板Ｗ１の内部において誘導分極が生じ、基板Ｗ１の上面が正に帯電する。
【００８５】
第１混合液の供給開始から例えば第１所定時間が経過したときに、制御部５は混合液供給部３に第１混合液の供給を停止させる。具体的には、制御部５は供給バルブ３８および供給バルブ３９を閉じる。第１所定時間は、基板Ｗ１の上面の帯電量が所定の帯電量となるのに必要な時間であり、例えば予め設定される。
【００８６】
次に、制御部５はエッチング液供給部４を制御して、エッチング液を基板Ｗ１の上面に供給させる（ステップＳ５：エッチング液供給工程）。具体的には、制御部５は供給バルブ４３を開く。これにより、エッチング液供給部４のノズル４１から基板Ｗ１の上面の中央部に向かってエッチング液が吐出される。このエッチング液は基板Ｗ１の上面において遠心力を受けて全面に広がり、基板Ｗ１の周縁から外側に飛散する。エッチング液は、基板Ｗ１の上面のうちエッチング対象をエッチングする。基板Ｗ１の上面は正に帯電しているので、エッチング液はパターン間の隙間に入り込みやすい。
【００８７】
比較のために、基板Ｗ１の上面が正に帯電していない場合について説明する。この場合には、酸性またはアルカリ性のエッチング液の供給により、基板Ｗ１の上面は負に帯電する。よって、パターン側壁も負に帯電する。パターン側壁の電荷はエッチング液内のマイナスイオン（例えば二フッ化水素イオン）が反発し、エッチング液が当該隙間に入り込みにくくなる。これにより、エッチング不良が発生する。
【００８８】
これに対して、本実施の形態のように基板Ｗ１の上面が正に帯電していれば、たとえパターン間の隙間が狭くても、エッチング液がパターン間に入り込みやすく、エッチングを適切に行うことができる。
【００８９】
しかも、上述の例では、混合液供給部３は第１混合液を基板Ｗ１の下面に供給して、基板Ｗ１の下面を帯電させている。よって、この基板Ｗ１の下面の帯電を除去しない限り、誘導分極により、基板Ｗ１の上面の電荷の極性は正に維持される。つまり、エッチング液供給工程においては、エッチング液の供給により基板Ｗ１の上面の正の電荷の一部が中和し得るものの、基板Ｗ１の下面の帯電が維持される限り、基板Ｗ１の上面の電荷の極性を正に維持できる。したがって、エッチング供給工程の全期間において、基板Ｗ１の上面における帯電の極性を正に維持することができ、この全期間において、エッチングを適切に行うことができる。
【００９０】
エッチング液の供給開始から例えば第２所定時間が経過したときに、制御部５はエッチング液供給部４にエッチング液の供給を停止させる。具体的には、制御部５は供給バルブ４３を閉じる。第２所定時間は、エッチングが十分に行われるのに要する時間であり、例えば予め設定される。
【００９１】
次に、制御部５はリンス液供給部６を制御して第１リンス液を基板Ｗ１の上面に供給させる（ステップＳ６：洗浄工程）。具体的には、制御部５は供給バルブ６５を開く。これにより、ノズル６１から基板Ｗ１の上面の中央部に向かって第１リンス液が吐出される。第１リンス液は、純水または第３混合液である。第１リンス液は基板Ｗ１の上面に広がってエッチング液を洗い流す。言い換えれば、基板Ｗ１の上面のエッチング液が第１リンス液に置換される。
【００９２】
第１リンス液の供給開始から例えば第３所定時間が経過したときに、制御部５はリンス液供給部６に第１リンス液の供給を停止させる。具体的には、制御部５は供給バルブ６５を閉じる。第３所定時間は、エッチング液が十分に除去されるのに要する時間であり、例えば予め設定される。
【００９３】
次に、制御部５はリンス液供給部６を制御して第２リンス液を基板Ｗ１の上面に供給させる（ステップＳ７）。具体的には、制御部５は供給バルブ６６を開く。これにより、ノズル６１から基板Ｗ１の上面の中央部に向かって第２リンス液が吐出される。第２リンス液は基板Ｗ１の上面に広がって第１リンス液を洗い流す。言い換えれば、基板Ｗ１の上面の第１リンス液が第２リンス液に置換される。
【００９４】
次に、制御部５は混合液供給部３に第２混合液を基板Ｗ１の下面に供給させる（ステップＳ８：除電工程）。第２混合液は、純水および二酸化炭素を第２混合濃度で混合して得られる混合液である。第２混合濃度における二酸化炭素の濃度は、第１混合液の第１混合濃度よりも大きい。言い換えれば、第２混合液は、第１混合液よりも比抵抗値が小さい混合液である。制御部５は供給バルブ３８および供給バルブ３９を開く。制御部５は、二酸化炭素の流量が帯電工程（ステップＳ４）における二酸化炭素の流量よりも高くなるように供給バルブ３９を制御してもよく、あるいは、純水の流量が帯電工程（ステップＳ４）における純水の流量よりも低くなるように、供給バルブ３８を制御してもよい。
【００９５】
第２混合液は基板Ｗ１の下面に広がって、基板Ｗ１の周縁から外側に飛散する。第２混合液の比抵抗値は低いので、基板Ｗ１の下面に帯電した電荷が第２混合液へと流れて、基板Ｗ１の下面が除電される。これにより、基板Ｗ１の上面も除電される。
【００９６】
第２混合液の供給開始から例えば第４所定時間が経過したときに、制御部５は混合液供給部３に第２混合液の供給を停止させる。具体的には、制御部５は供給バルブ３８および供給バルブ３９を閉じる。第４所定時間は、基板Ｗ１の下面の電荷が除去されるのに要する時間であり、例えば予め設定される。
【００９７】
次に、制御部５は基板Ｗ１を乾燥させる乾燥処理を行う（ステップＳ９：乾燥工程）。具体的な一例として、制御部５はガス供給部８に不活性ガスを供給させつつ、基板Ｗ１の回転速度を増大させることにより、基板Ｗ１を乾燥させる。次に、制御部５は回転機構２２を制御して基板Ｗ１の回転を終了させる（ステップＳ１０）。
【００９８】
以上のように、基板処理装置１００によれば、基板Ｗ１の上面が正に帯電した状態で、エッチング液が基板Ｗ１の上面に供給される（ステップＳ４およびステップＳ５）。したがって、基板Ｗ１の上面のパターン間の隙間が狭い場合でも、エッチング液はパターン間の隙間に入り込みやすく、適切にエッチングを行うことができる。これにより、エッチング不良の発生率を低減できる。
【００９９】
しかも、基板処理装置１００によれば、基板Ｗ１を帯電させるために、基板Ｗ１に電圧を印加する必要がない。よって、基板Ｗ１に電圧を印加するための印加構成（例えば電極等）を設ける必要がない。したがって、より簡易な構成で基板Ｗ１を帯電させることができる。
【０１００】
なお、図５の例では、制御部５は除電工程（ステップＳ８）を行っているものの、基板Ｗ１の帯電が問題とならない場合には、除電工程を省略してもよい。
【０１０１】
＜回転速度＞
基板保持部２は、基板Ｗ１の回転速度がエッチング液供給工程（ステップＳ５）よりも帯電工程（ステップＳ４）において高くなるように、基板Ｗ１を回転させてもよい。図６は、基板Ｗ１の回転速度の一例を示す図である。図６の例では、帯電工程（ステップＳ４）において、制御部５は回転機構２２を制御して、比較的高い第１回転速度ω１で基板Ｗ１を回転させる。これにより、帯電工程において、第１混合液と基板Ｗ１の下面との間の摩擦力が増大し、基板Ｗ１の下面における帯電量が増大する。あるいは、基板Ｗ１が所定の電圧レベルまで帯電するまでの時間を短縮できる。これにより、基板処理装置１００のスループットを向上できる。
【０１０２】
帯電工程に続くエッチング液供給工程（ステップＳ５）の初期において、制御部５は回転機構２２を制御して、第１回転速度ω１よりも低い第２回転速度ω２で基板Ｗ１を回転させる。エッチング液供給工程の初期において第２回転速度ω２を維持した後、制御部５は回転機構２２を制御して、第２回転速度ω２よりも低い第３回転速度ω３で基板Ｗ１を回転させる。
【０１０３】
以上のように、エッチング液供給工程の初期においては、やや高い第２回転速度で基板Ｗ１が回転する。よって、エッチング液供給工程の初期において、エッチング液を基板Ｗ１の上面で速やかに広げることができる。エッチング液が基板Ｗ１の全面に広がると、基板Ｗ１は第２回転速度ω２よりも低い第３回転速度ω３で回転する。これによれば、エッチング液の流動性を低下させることができるので、エッチング液を基板Ｗ１の上面に対してより適切に作用させることができる。よって、基板Ｗ１の上面に対してより適切にエッチングを行うことができる。
【０１０４】
＜帯電工程のタイミング＞
図５の例では、制御部５は帯電工程（ステップＳ４）が終了した後にエッチング液供給工程（ステップＳ５）を行っている。本方法により基板Ｗ１の下面に対して第１混合液を供給することにより基板Ｗ１に生じた基板Ｗ１上の帯電分布は、積極的に除電などを行わない限り、数分から数１０分、場合によっては１時間以上という比較的長時間、分布を変えずに維持されるという傾向がある。このため、帯電工程において所望の帯電分布を得るのに必要な装置可動条件と、エッチング液供給工程における装置可動条件とを互いに切り分けることが可能となる。一方で、エッチング液供給工程におけるエッチング液の供給は基板Ｗ１の上面に向けてなされ、帯電工程における第１混合液の供給は基板Ｗ２の下面に向けてなされるので、制御部５は、両者の工程の一部またはすべてが並行するように処理を実行してもよい。
【０１０５】
図７は、帯電工程およびエッチング液供給工程のタイミングの一例を示す図である。図７の例では、制御部５は時刻ｔ１において帯電工程を開始する。つまり、制御部５は時刻ｔ１において混合液供給部３の供給バルブ３８および供給バルブ３９を開く。次に、制御部５は時刻ｔ２においてエッチング液供給工程を開始する。つまり、制御部５は時刻ｔ２においてエッチング液供給部４の供給バルブ４３を開く。次に、制御部５は時刻ｔ３において、帯電工程およびエッチング液供給工程を終了する。つまり、制御部５は時刻ｔ３において供給バルブ３８、供給バルブ３９および供給バルブ４３を閉じる。
【０１０６】
図７の例において、制御部５は帯電工程をエッチング液供給工程の開始よりも前に開始する。よって、エッチング液供給工程の開始時点において、基板Ｗ１の上面は正に帯電している。したがって、エッチング液供給工程の初期においても、エッチングはパターン間の隙間に入り込みやすい。
【０１０７】
しかも、図７の例では、制御部５は帯電工程およびエッチング液供給工程を互いに並行して実行している。これによれば、エッチング液供給工程においても、基板Ｗ１の下面を帯電させ続けることができる。ひいては、基板の上面の帯電をより維持しやすい。
【０１０８】
また、エッチング液供給工程において、エッチング液は基板Ｗ１の上面の周縁から外側に飛散し、第１混合液は基板Ｗ１の下面の周縁から外側に飛散する。よって、エッチング液が基板Ｗ１の端面（上面の周縁と下面の周縁とを連結する端面）を介して、基板Ｗ１の下面に回り込むことを抑制できる。したがって、基板Ｗ１の下面に対してエッチングが行われることを抑制できる。
【０１０９】
図８は、帯電工程およびエッチング液供給工程のタイミングの他の一例を示す図である。図８の例では、制御部５は、時刻ｔ１１においてエッチング液供給工程を開始し、時刻ｔ１２において帯電工程を開始し、時刻ｔ１３において帯電工程およびエッチング液供給工程を終了する。
【０１１０】
図８の例では、制御部５はエッチング液供給工程を開始した後に帯電工程を開始している。よって、エッチング液供給工程の開始から帯電工程が開始されるまでの初期期間においては、基板Ｗ１はほとんど帯電していない。しかしながら、エッチング液処理工程の初期では、エッチング処理によるエッチング量が未だ少ない。つまり、この初期期間においては未だエッチングがそれほど進んでいないので、パターン間の隙間は浅い。そこで、図８の例では、エッチング液供給工程の初期期間では帯電工程を行わず、エッチング液供給工程の途中から帯電工程を開始している。エッチングがある程度進んだ時刻ｔ１２以降では帯電工程により基板Ｗ１が帯電するので、たとえパターン間の隙間が深くなっても、エッチング液はパターン間の隙間の奥に入り込みやすい。よって、エッチングを適切に行うことができる。
【０１１１】
しかも、図８の例では、帯電工程の開始タイミングを遅らせているので、図７の場合に比して、第１混合液の消費量を低減することができる。
【０１１２】
以上、基板処理方法および基板処理装置は詳細に示され記述されたが、上記の記述は全ての態様において例示であって限定的ではない。したがって、基板処理方法および基板処理装置は、その開示の範囲内において、実施の形態を適宜、変形、省略することが可能である。また上述の実施の形態は適宜に組み合わせることが可能である。
【０１１３】
例えば帯電用の第１混合液および除電用の第２混合液として、二酸化炭素以外の添加ガスと、純水とを混合して得られる混合液を採用してもよい。添加ガスとしては、例えば、塩化水素ガスまたはアンモニアガスを採用することができる。第１混合液における添加ガスの濃度は、第２混合液における添加ガスの濃度よりも小さい。比抵抗値でいえば、第１混合液の比抵抗値は第２混合液の比抵抗値よりも大きい。これによっても、基板Ｗ１の下面を帯電させることができる。
【０１１４】
あるいは、帯電用の第１混合液および除電用の第２混合液として、純水と薬液との混合液を採用してもよい。薬液しては、例えば、塩酸、アンモニウム水またはＴＭＨＡ（3-メチル-2-ヘキセン酸）を採用することができる。この場合でも、第１混合液の比抵抗値は第２混合液の比抵抗値よりも大きい。これによっても、基板Ｗ１の下面を帯電させることができる。
【０１１５】
また、上述の例では、混合液供給部３は基板Ｗ１の下面に第１混合液を供給した。しかしながら、混合液供給部３は基板Ｗ１の上面に第１混合液を供給してもよい。この場合、ノズル３１は基板Ｗ１よりも上方に設けられる。例えばノズル３１は、基板Ｗ１の上面の中央部と対向する位置に設けられる。混合液供給部３が基板Ｗ１の上面に第１混合液を供給することにより、基板Ｗ１の上面は正に帯電する。その後、エッチング液供給部４は、正に帯電した基板Ｗ１の上面にエッチング液を供給する。したがって、エッチング液はパターン間の隙間に入り込みやすい。
【０１１６】
ただし、エッチング液の供給により、基板Ｗ１の上面に付着した正の電荷が中和されて除電され得る。よって、エッチング液供給工程において、基板Ｗ１の上面の帯電量は時間の経過とともに低下する。よって、エッチング液供給工程の全期間において、基板Ｗ１の上面が正に帯電し続けることは難しい。
【０１１７】
また、混合液供給部３が基板Ｗ１の上面に第１混合液を供給する場合には、帯電工程およびエッチング液供給工程の並行実施は困難となる。
【０１１８】
また、第１混合液が直接に供給される基板Ｗ１の上面の帯電分布のばらつきは大きくなる。なぜなら、基板Ｗ１の外周ほど回転速度が高く、基板Ｗ１の外周側の部分において、第１混合液と基板Ｗ１の表面との摩擦力が増大するからである。つまり、基板Ｗ１の上面における摩擦力のばらつきが大きいからである。よって、基板Ｗ１の中央部分の帯電量と外周部分の帯電量との差異が大きくなる。したがって、基板Ｗ１の上面に第１混合液を供給して基板Ｗ１の上面を帯電させると、基板Ｗ１の上面の帯電分布のばらつきは大きくなる。よって、エッチングの均一性が低下し得る。
【０１１９】
これに対して、基板Ｗ１の下面に第１混合液を供給すると、基板Ｗ１の下面の帯電分布はばらつくものの、基板Ｗ１の上面の帯電分布は下面に比してばらつきにくい。なぜなら、基板Ｗ１の厚み方向において誘導分極が生じることにより、基板Ｗ１の下面から遠ざかるにつれて、帯電分布のばらつきが緩やかになるからである。よって、基板Ｗ１の上面の帯電分布は図３に示すように比較的により均一となる。
【符号の説明】
【０１２０】
２  基板保持部
３  混合液供給部
４  エッチング液供給部
５  制御部
Ａ１  回転軸線
Ｗ１  基板
Ｓ１  基板保持工程（ステップ）
Ｓ４  帯電工程（ステップ）
Ｓ５  エッチング液供給工程（ステップ）
Ｓ６  リンス液供給工程（ステップ）
Ｓ８  除電工程（ステップ）
【図１】
2020161522.tif 000003
【図２】
2020161522.tif 000004
【図３】
2020161522.tif 000005
【図４】
2020161522.tif 000006
【図５】
2020161522.tif 000007
【図６】
2020161522.tif 000008
【図７】
2020161522.tif 000009
【図８】
2020161522.tif 000010